(57)【要約】【課題】壁体の高さを変化させて圧縮比を高めると共にポートを設けて容量制御を行なう場合の、ポート付近の強度の低下を抑制する。【解決手段】固定スクロール３１に容量制御用の高ラップ側ポート６５と低ラップ側ポート６７とを設け、高ラップ側ポート６５における高ラップ圧縮室画成部６１に開口している部分である高ラップ側ポート開口部６６は、高ラップ圧縮室画成部６１を画成する圧縮室側面３７で、且つ、圧縮室側面３７と固定スクロール側ラップ４１との接続部分以外の部分に開口させる。これにより、高ラップ圧縮室画成部６１に開口する高ラップ側ポート開口部６６付近の強度の低下を抑制することができる。この結果、固定スクロール側ラップ４１の高さを変化させて圧縮比を高めると共に、高ラップ側ポート６５と低ラップ側ポート６７、即ちポートを設けて容量制御を行なう場合の、ポート付近の強度の低下を抑制することができる。【選択図】        図３
2008095636.tif 000002
【特許請求の範囲】
【請求項１】
渦巻き状に形成されると共に渦巻きの高さが渦巻きの外側端部側よりも中心部側の方が低く形成された壁体と、
前記壁体が一側面に設けられ、且つ、厚さが前記壁体における前記外側端部側よりも前記壁体における中心部側の方が厚く形成された端板と、
前記端板における前記壁体が設けられている側の面である圧縮室側面と当該圧縮室側面に接続された前記壁体とによって画成される低壁体圧縮室画成部と、
前記低壁体圧縮室画成部を画成する前記壁体の高さよりも高さが高い位置の前記壁体と前記圧縮室側面とにより画成される高壁体圧縮室画成部と、
前記低壁体圧縮室画成部を画成する前記圧縮室側面から、前記端板における前記圧縮室側面の反対側の面である外側面にかけて貫通することにより双方に開口していると共に、前記圧縮室側面に開口された部分は低壁体側ポート開口部となって形成された低壁体側ポートと、
前記高壁体圧縮室画成部から、前記外側面にかけて貫通することにより双方に開口していると共に前記高壁体圧縮室画成部に開口された部分は高壁体側ポート開口部となって形成されており、さらに、前記高壁体側ポート開口部は、前記高壁体圧縮室画成部を画成する前記圧縮室側面と前記壁体との接続部分以外の部分で前記高壁体圧縮室画成部を画成する前記圧縮室側面、または、前記壁体に開口している高壁体側ポートと、
を備えることを特徴とする圧縮機用スクロール。
【請求項２】
前記低壁体側ポート開口部の開口面積と前記高壁体側ポート開口部の開口面積とは略等しくなっていることを特徴とする請求項１に記載の圧縮機用スクロール。
【請求項３】
前記高壁体側ポート開口部は前記圧縮室側面に開口しており、
前記低壁体側ポートと前記高壁体側ポートとは、貫通方向における断面形状が円形の形状で形成されると共に、前記高壁体側ポートは前記低壁体側ポート以上の数で設けられており、さらに、前記高壁体側ポートの径は前記低壁体側ポートの径以下の径となっていることを特徴とする請求項１または２に記載の圧縮機用スクロール。
【請求項４】
前記高壁体側ポート開口部は、前記高壁体圧縮室画成部を画成する前記壁体に開口していることを特徴とする請求項１または２に記載の圧縮機用スクロール。
【請求項５】
前記高壁体側ポート開口部は、前記渦巻きの形成方向における幅よりも前記壁体の高さ方向における幅の方が広くなっていることを特徴とする請求項４に記載の圧縮機用スクロール。
【請求項６】
前記高壁体側ポートは、前記壁体の高さ方向に対して斜め方向に形成されると共に前記壁体から前記外側面にかけて直線状に形成されることを特徴とする請求項４または５に記載の圧縮機用スクロール。
【請求項７】
前記高壁体側ポート開口部には面取り処理が施されていることを特徴とする請求項１〜６のいずれか１項に記載の圧縮機用スクロール。
【請求項８】
自転を阻止されつつ公転旋回可能に設けられた旋回スクロールと、前記旋回スクロールとかみ合い可能に形成され、且つ、前記旋回スクロールが公転旋回することにより前記旋回スクロールと共に被圧縮媒体を少なくともかみ合い方向に圧縮可能に形成された固定スクロールと、を備えるスクロール圧縮機において、
前記固定スクロールとして請求項１〜７のいずれか１項に記載の圧縮機用スクロールが用いられることを特徴とするスクロール圧縮機。
【発明の詳細な説明】
【技術分野】
【０００１】
本発明は、圧縮機用スクロール及びスクロール圧縮機に関するものである。特に、この発明は、旋回スクロールと固定スクロールとをかみ合わせ、旋回スクロールを公転旋回させることにより、旋回スクロールと固定スクロールとで被圧縮媒体を少なくとも旋回スクロールと固定スクロールとのかみ合い方向に圧縮可能に形成された圧縮機用スクロール及びスクロール圧縮機に関するものである。
【背景技術】
【０００２】
一般に、スクロール圧縮機は、端板の一側面に渦巻き状の壁体を立設した固定スクロールと、端板の一側面に固定スクロールの壁体と実質的に同一形状の渦巻き状の壁体を立設した旋回スクロールとを有している。そして、固定スクロールと旋回スクロールとの各端板の一側面を向き合わせ互いの壁体を組み合わせて配置する。この状態で固定スクロールに対して旋回スクロールを公転旋回運動させることで各壁体間に形成した圧縮室の容積を漸次減少させて当該圧縮室内の流体を圧縮する。
【０００３】
さらに、このようなスクロール圧縮機では、圧縮性能の向上を図るため、固定スクロールと旋回スクロールとを組み合わせる方向における圧縮室の高さを、渦巻きの外側端部側よりも渦巻きの中心部側を低くしているものがある。具体的には、スクロールの渦巻きのピッチ間に位置する端板が、渦巻きの外終端側（流体取込口側）で低く内終端側（中心側）で高くなる態様で段差部を設けてある。さらに、対向するスクロールが有する壁体の端縁形状が、対応する段差部に係合する態様で形成してある。このような構成により、渦巻きの外終端側ではスクロール同士の端板間が離れるので、流体の取り込み容積を大きくすることができ、内終端側では端板間が近くなるので容積が小さくなり、流体の圧力を高くすることができる。これにより、スクロールの外径を大きくせずに圧縮比を高めることができる。
【０００４】
また、従来のスクロール圧縮機では、固定スクロールの渦巻きのピッチ間にかかる端板に対して流体通孔（バイパス孔）を設け、当該流体通孔を開閉可能に形成しているものがある。これにより、このようなスクロール圧縮機では、必要に応じて流体通孔を開けることで、圧縮室の圧縮容積を小さくして駆動源の負担を軽減することができる。
【０００５】
さらに、従来のスクロール圧縮機では、これらを組み合わせたものがある。例えば、特許文献１に記載のスクロール圧縮機では、段差部とバイパス孔を備えており、さらに、バイパス孔は段差部の位置よりも渦巻きの中心部側に設けている。これにより、圧縮比を高めつつ容量制御を行なうことができ、さらに、段差部からの流体の漏れを抑制でき、圧力損失を抑制することができる。
【０００６】
【特許文献１】特開２００５−６１２９５号公報
【発明の開示】
【発明が解決しようとする課題】
【０００７】
しかしながら、端板が渦巻きの外終端側で低く、内終端側で高くなる場合、つまり、端板が渦巻きの外終端側で薄く、内終端側で厚くなる場合、この端板に設けられる壁体は、渦巻きの外終端側で高く、内終端側で低くなる。このため、流体の圧縮時には、渦巻きの外終端側に位置する壁体には大きな圧力が作用し、この壁体と端板との接続部分には、大きな応力が発生する。この場合、この部分にバイパス孔、即ちポートが開口している場合、ポート付近に応力が集中し、強度が低下する虞があった。
【０００８】
本発明は、上記に鑑みてなされたものであって、壁体の高さを変化させて圧縮比を高めると共にポートを設けて容量制御を行なう場合の、ポート付近の強度の低下を抑制できる圧縮機用スクロール及びスクロール圧縮機を提供することを目的とする。
【課題を解決するための手段】
【０００９】
上述した課題を解決し、目的を達成するために、この発明に係る圧縮機用スクロールは、渦巻き状に形成されると共に渦巻きの高さが渦巻きの外側端部側よりも中心部側の方が低く形成された壁体と、前記壁体が一側面に設けられ、且つ、厚さが前記壁体における前記外側端部側よりも前記壁体における中心部側の方が厚く形成された端板と、前記端板における前記壁体が設けられている側の面である圧縮室側面と当該圧縮室側面に接続された前記壁体とによって画成される低壁体圧縮室画成部と、前記低壁体圧縮室画成部を画成する前記壁体の高さよりも高さが高い位置の前記壁体と前記圧縮室側面とにより画成される高壁体圧縮室画成部と、前記低壁体圧縮室画成部を画成する前記圧縮室側面から、前記端板における前記圧縮室側面の反対側の面である外側面にかけて貫通することにより双方に開口していると共に、前記圧縮室側面に開口された部分は低壁体側ポート開口部となって形成された低壁体側ポートと、前記高壁体圧縮室画成部から、前記外側面にかけて貫通することにより双方に開口していると共に前記高壁体圧縮室画成部に開口された部分は高壁体側ポート開口部となって形成されており、さらに、前記高壁体側ポート開口部は、前記高壁体圧縮室画成部を画成する前記圧縮室側面と前記壁体との接続部分以外の部分で前記高壁体圧縮室画成部を画成する前記圧縮室側面、または、前記壁体に開口している高壁体側ポートと、を備えることを特徴とする。
【００１０】
この発明では、高壁体側ポートにおける高壁体圧縮室画成部に開口している部分である高壁体側ポート開口部は、高壁体圧縮室画成部を画成する圧縮室側面と壁体との接続部分以外の部分に開口している。これにより、高壁体圧縮室画成部を画成する壁体、つまり、高さが高い位置の壁体に圧力が作用し、この壁体と圧縮室側面との接続部分に大きな応力が作用した場合でも、この接続部分には高壁体側ポート開口部は開口していないため、高壁体側ポート開口部付近に大きな応力が生じることを抑制できる。従って、高壁体側ポート開口部付近、即ち、高壁体圧縮室画成部に開口する高壁体側ポート付近の強度の低下を抑制することができる。この結果、壁体の高さを変化させて圧縮比を高めると共にポートを設けて容量制御を行なう場合の、ポート付近の強度の低下を抑制することができる。
【００１１】
また、この発明に係る圧縮機用スクロールは、前記低壁体側ポート開口部の開口面積と前記高壁体側ポート開口部の開口面積とは略等しくなっていることを特徴とする。
【００１２】
この発明では、低壁体側ポート開口部の開口面積と高壁体側ポート開口部の開口面積とを略等しくしているので、被圧縮媒体を低壁体側ポート開口部と高壁体側ポート開口部とからバランスよく、端板の圧縮室面側の反対側に位置する外側面側に流出させることができる。これにより、スクロール圧縮機に、この圧縮機用スクロールを用いて被圧縮媒体を圧縮する際における圧縮損失を抑制することができる。この結果、圧力損失による性能低下を抑制することができる。
【００１３】
また、この発明に係る圧縮機用スクロールは、前記高壁体側ポート開口部は前記圧縮室側面に開口しており、前記低壁体側ポートと前記高壁体側ポートとは、貫通方向における断面形状が円形の形状で形成されると共に、前記高壁体側ポートは前記低壁体側ポート以上の数で設けられており、さらに、前記高壁体側ポートの径は前記低壁体側ポートの径以下の径となっていることを特徴とする。
【００１４】
この発明では、高壁体側ポートの高壁体側ポート開口部は、圧縮室側面に開口している。また、このように形成される高壁体側ポートは、低壁体側ポート以上の数で設けられており、高壁体側ポートの径は低壁体側ポートの径以下の径となっている。このため、この圧縮機用スクロールを、スクロール圧縮機に用いた場合に、高壁体側ポートが相手側の壁体をまたぐことを抑制できる。これにより、旋回スクロールの壁体の両側に位置する双方の圧縮室に高壁体側ポート開口部が開口されることを抑制できるので、高壁体側ポートを介して双方の圧縮室が連通されることを抑制でき、被圧縮媒体の漏れを抑制することができる。この結果、圧力損失による性能低下を抑制することができる。
【００１５】
また、この発明に係る圧縮機用スクロールは、前記高壁体側ポート開口部は、前記高壁体圧縮室画成部を画成する前記壁体に開口していることを特徴とする。
【００１６】
この発明では、高壁体側ポート開口部を壁体に開口することにより、より確実に高壁体側ポート付近の強度の低下を抑制できる。つまり、高壁体圧縮室画成部を画成する壁体は、高壁体圧縮室画成部を画成する端板が薄く形成されることにより、低壁体圧縮室画成部を画成する壁体よりも高さが高くなっている場合がある。この場合、端板の強度が低くなっているので、端板、即ち、圧縮室面に高壁体側ポート開口部を開口させると、高壁体側ポート開口部付近の強度が、より低くなる虞がある。そこで、高壁体側ポート開口部を壁体に開口することにより、高壁体側ポートを設けた場合における強度の低下を抑制できる。この結果、ポート付近の強度の低下を抑制することができる。
【００１７】
また、この発明に係る圧縮機用スクロールは、前記高壁体側ポート開口部は、前記渦巻きの形成方向における幅よりも前記壁体の高さ方向における幅の方が広くなっていることを特徴とする。
【００１８】
この発明では、高壁体側ポート開口部は、渦巻きの形成方向における幅が狭くなっているので、高壁体側ポート開口部が開口した壁体と相手側の壁体とが高壁体側ポート開口部付近で接触した場合に、渦巻きの形成方向において高壁体側ポート開口部の両側に位置する圧縮室同士が連通することを抑制できる。例えば、この圧縮機用スクロールを固定スクロールとしてスクロール圧縮機に用いた場合に、渦巻きの形成方向における高壁体側ポート開口部の幅を狭くすることにより、旋回スクロールの公転旋回時に旋回スクロールの壁体が、固定スクロールの壁体における高壁体側ポート開口部が設けられている部分に接触した場合に、渦巻きの形成方向における高壁体側ポート開口部の両側に位置する圧縮室同士が高壁体側ポートを介して連通することを抑制できる。これにより、双方の圧縮室内に位置する被圧縮媒体の漏れを抑制することができる。この結果、圧力損失による性能低下を抑制することができる。
【００１９】
また、この発明に係る圧縮機用スクロールは、前記高壁体側ポートは、前記壁体の高さ方向に対して斜め方向に形成されると共に前記壁体から前記外側面にかけて直線状に形成されることを特徴とする。
【００２０】
この発明では、高壁体側ポートは、壁体の高さ方向に対して斜め方向で、且つ、壁体から外側面にかけて直線状に形成されているので、容易に高壁体側ポートを設けることができる。これにより、壁体の高さを変化させた場合において、高壁体側ポート付近の強度を低下させることを抑制できる高壁体側ポートを、容易に設けることができる。この結果、壁体の高さを変化させて圧縮比を高めると共にポートを設けて容量制御を行なう場合の、ポート付近の強度の低下を、より確実に抑制することができる。
【００２１】
また、この発明に係る圧縮機用スクロールは、前記高壁体側ポート開口部には面取り処理が施されていることを特徴とする。
【００２２】
この発明では、高壁体側ポート開口部に面取り処理が施されているので、高壁体側ポート開口部付近の応力集中を、より確実に抑制することができる。この結果、壁体の高さを変化させて圧縮比を高めると共にポートを設けて容量制御を行なう場合の、ポート付近の強度の低下を、より確実に抑制することができる。
【００２３】
また、この発明に係るスクロール圧縮機は、自転を阻止されつつ公転旋回可能に設けられた旋回スクロールと、前記旋回スクロールとかみ合い可能に形成され、且つ、前記旋回スクロールが公転旋回することにより前記旋回スクロールと共に被圧縮媒体を少なくともかみ合い方向に圧縮可能に形成された固定スクロールと、を備えるスクロール圧縮機において、前記固定スクロールとして上述した発明に係る圧縮機用スクロールのうちのいずれかの圧縮機用スクロールが用いられることを特徴とする。
【００２４】
この発明では、スクロール圧縮機の固定スクロールとして、上述した発明に係る圧縮機用スクロールのうちのいずれかの圧縮機用スクロールが用いられるので、スクロールの壁体の高さが渦巻きの外側端部側よりも中心部側の方が低くなるように形成される。これにより、圧縮比を高めることができる。また、壁体と端板とにより画成される圧縮室から、当該圧縮室の外側にかけて高壁体側ポートと低壁体側ポートとが形成されるので、容積制御を行なうことができる。さらに、高壁体側ポート開口部は、高壁体圧縮室画成部を画成する圧縮室側面と壁体との接続部分以外の部分に開口しているので、壁体に圧力が作用した場合でも、高壁体側ポート開口部付近に大きな応力が生じることを抑制できる。この結果、壁体の高さを変化させて圧縮比を高めると共にポートを設けて容量制御を行なう場合の、ポート付近の強度の低下を抑制することができる。
【発明の効果】
【００２５】
本発明に係る圧縮機用スクロールは、壁体の高さを変化させて圧縮比を高めると共にポートを設けて容量制御を行なう場合の、ポート付近の強度の低下を抑制することができる、という効果を奏する。また、本発明に係るスクロール圧縮機は、壁体の高さを変化させて圧縮比を高めると共にポートを設けて容量制御を行なう場合の、ポート付近の強度の低下を抑制することができる、という効果を奏する。
【発明を実施するための最良の形態】
【００２６】
以下に、本発明に係る圧縮機用スクロール及びスクロール圧縮機の実施例を図面に基づいて詳細に説明する。なお、この実施例によりこの発明が限定されるものではない。また、下記実施例における構成要素には、当業者が置換可能かつ容易なもの、或いは実質的に同一のものが含まれる。
【実施例】
【００２７】
図１は、本発明の実施例に係る圧縮機用スクロールを備えるスクロール圧縮機の断面図である。同図に示すスクロール圧縮機１は、スクロール側ハウジング６とシャフト側ハウジング７とからなるハウジング５内に、スクロール３０やシャフト８０などが配設されている。詳しくは、スクロール側ハウジング６は、カップ状に形成されており、シャフト側ハウジング７は、一端に隔壁部８が設けられることにより、一端が概ね閉止された略円筒形の形状で形成されている。これらのスクロール側ハウジング６とシャフト側ハウジング７とは、スクロール側ハウジング６において開口されている側の端部と、シャフト側ハウジング７において開口されている側の端部とが、スクリュー１５によって接続されている。ハウジング５は、このようにスクロール側ハウジング６とシャフト側ハウジング７とが連結されることにより、両端が概ね閉止された略円筒形の形状となって形成されている。また、このスクロール側ハウジング６には、吸入口１１と吐出口１２とが形成されている。これらの吸入口１１と吐出口１２とは、当該スクロール圧縮機１の外部に設けられ、被圧縮媒体である冷媒ガスが流れる経路である冷媒ガス経路（図示省略）に接続されている。
【００２８】
このように形成されるハウジング５のうち、シャフト側ハウジング７内には、前記シャフト８０が設けられている。このシャフト８０は、当該シャフト８０の回転軸（図示省略）がシャフト側ハウジング７の形状である略円筒形の中心軸（図示省略）とほぼ一致する向きで配設されている。また、シャフト側ハウジング７内には、軸受１８が配設されており、シャフト８０は、この軸受１８によって回転可能に支持されている。また、シャフト側ハウジング７が有する隔壁部８は、隔壁部８の部分に位置するシャフト８０の径よりも若干大きな径で開口しており、シャフト８０は、この開口している部分からシャフト側ハウジング７の外部に突出している。
【００２９】
また、シャフト側ハウジング７におけるスクロール側ハウジング６に接続されている側の反対側の端部、即ち、隔壁部８には、シールハウジング２０が接続されている。このシールハウジング２０内には、シール部材２１が設けられており、シャフト８０においてシャフト側ハウジング７から突出している部分は、シールハウジング２０内に位置し、シール部材２１によってシャフト側ハウジング７の内側と外側とが密閉されている。また、シャフト８０においてシールハウジング２０側に位置する端部は、シャフト８０を回転させる駆動手段（図示省略）が接続されている。
【００３０】
また、シャフト８０において駆動手段が接続される側の端部の反対側に位置する端部、つまり、スクロール側ハウジング６側の端部には、前記スクロール３０が位置しており、このスクロール３０は、スクロール側ハウジング６に内設されている。このスクロール３０は、本発明に係る圧縮機用スクロールである固定スクロール３１と、旋回スクロール５１とから形成されており、旋回スクロール５１はシャフト８０側に位置し、固定スクロール３１は、スクロール側ハウジング６の閉止されている側に位置している。
【００３１】
シャフト８０の旋回スクロール５１側の端部には、シャフト８０と平行で、且つ、シャフト８０の回転軸から偏った位置に中心軸が位置している、即ち、シャフト８０に対して偏心している円筒形の形状で形成された偏心部８１が設けられている。この偏心部８１は、ドライブッシュ８５に回転可能に接続されている。また、旋回スクロール５１は、シャフト８０側に突出すると共に内側が空洞となって円筒形の形状で形成されたボス５４を有しており、ドライブッシュ８５は、ボス５４の内側に回転自在に嵌装されている。これにより、ボス５４は、中心軸が偏心部８１の中心軸とほぼ一致した状態でドライブッシュ８５により支持されており、ボス５４の中心軸は、シャフト８０の回転軸から偏心した状態となる。また、ドライブッシュ８５には、シャフト８０に対して偏心部８１が偏心している方向の反対方向、つまり、ボス５４がシャフト８０の回転軸から偏心している方向と反対方向に重量部分を有するバランスウェイト８６が取り付けられている。
【００３２】
また、旋回スクロール５１には、シャフト８０側の面で、且つ、ボス５４の径方向においてボス５４よりも外側、つまり、スクロール側ハウジング６寄りの部分に切欠部５５が形成されている。この切欠部５５には、旋回スクロール５１をスラスト方向に支持するスラスト方向支持部材９１に設けられた自転阻止機構９２が入り込んでいる。このため、これらの構造により、旋回スクロール５１は自転が阻止され、シャフト８０の回転軸を公転軸として公転旋回可能に設けられている。
【００３３】
このように設けられる旋回スクロール５１は、スクロール側ハウジング６内に配設されており、スクロール側ハウジング６内には、さらに固定スクロール３１が配設されている。この固定スクロール３１は、スクリューによりスラスト方向支持部材９１に固定されている。また、スラスト方向支持部材９１はスクリューによりシャフト側ハウジング７に固定されている。
【００３４】
また、固定スクロール３１は略円板状に形成された端板である固定スクロール側端板３２を有しており、この固定スクロール側端板３２の一側面である圧縮室側面３７には、渦巻き状に形成された壁体である固定スクロール側ラップ４１が設けられている。さらに、固定スクロール側ラップ４１は、当該固定スクロール側ラップ４１の形状である渦巻きの中心付近が、固定スクロール側端板３２の形状である略円板状の、円形の中心付近に位置し、渦巻きの外側に向かうに従って、固定スクロール側端板３２の円形の径方向における外方に向かう向きで設けられている。
【００３５】
また、旋回スクロール５１も固定スクロール３１と同様に、略円板状に形成された端板である旋回スクロール側端板５２を有しており、旋回スクロール側端板５２の一側面には、渦巻き状に形成された壁体である旋回スクロール側ラップ５３が設けられている。この旋回スクロール側ラップ５３は、実質的に固定スクロール側ラップ４１と同一形状で形成されており、固定スクロール側端板３２に対して固定スクロール側ラップ４１が設けられる向きと同様の向きで旋回スクロール側端板５２に設けられている。旋回スクロール５１に形成されるボス５４と切欠部５５は、旋回スクロール側端板５２における旋回スクロール側ラップ５３が設けられている側の反対側の側面に形成されている。
【００３６】
これらの固定スクロール３１と旋回スクロール５１とは、旋回スクロール５１のボス５４がシャフト８０の回転軸に対して偏心していることにより、旋回スクロール５１は固定スクロール３１に対して偏心している。即ち、固定スクロール３１と旋回スクロール５１とは、旋回スクロール５１の公転旋回半径だけ互いに偏心している。さらに、固定スクロール３１と旋回スクロール５１とは、固定スクロール側ラップ４１と旋回スクロール側ラップ５３との位相を１８０°ずらし、且つ、固定スクロール側ラップ４１と旋回スクロール側ラップ５３とをかみ合わせた状態で設けられている。
【００３７】
また、固定スクロール３１には、固定スクロール３１における旋回スクロール５１側の空間と固定スクロール支持部材９３側の空間とを連通する孔である吐出ポート３６が形成されている。また、固定スクロール３１には、吐出ポート３６において固定スクロール側ラップ４１が設けられている側の反対側に開口している部分に、吐出ポート３６を開閉する吐出弁７１が設けられている。この吐出弁７１は、吐出ポート３６内が所定以上の圧力になった際に吐出ポート３６を開くように形成されている。
【００３８】
また、固定スクロール支持部材９３には、固定スクロール３１の吐出ポート３６における固定スクロール支持部材９３側に開口している部分から、スクロール側ハウジング６の吐出口１２方向にかけて形成された吐出通路９４が形成されている。これにより、固定スクロール３１の吐出ポート３６とスクロール側ハウジング６の吐出口１２とは、固定スクロール支持部材９３の吐出通路９４を介して連通している。
【００３９】
図２は、図１のＡ−Ａ断面図である。図３は、図２のＢ−Ｂ断面図である。固定スクロール３１が有する固定スクロール側ラップ４１は、渦巻き状に形成されると共に、渦巻きの高さが渦巻きの外側端部４７側よりも中心部側の方が低く形成されている。また、固定スクロール側端板３２は、厚さが、固定スクロール側ラップ４１における外側端部４７側よりも固定スクロール側ラップ４１における中心部側の方が厚く形成されている。このため、圧縮室側面３７の反対側の面を外側面３８とした場合に、固定スクロール側ラップ４１は、ラップ先端４２が段差となって外側面３８からの高さが変化する部分であるラップ段差部４３を有している。
【００４０】
つまり、固定スクロール側ラップ４１は、渦巻きの中心部側に位置する端部である内側端部４６からラップ段差部４３までの部分よりも、渦巻きの外側端部４７からラップ段差部４３までの部分の方が、外側面３８からの高さが高くなっている。このように、固定スクロール側ラップ４１において渦巻きの内側端部４６側に位置し、外側面３８からの高さが低くなっている部分は低ラップ部４５となっており、渦巻きの外側端部４７側に位置し、外側面３８からの高さが高くなっている部分は高ラップ部４４となっている。
【００４１】
また、固定スクロール側端板３２は、外側面３８はほぼ平面となっており、固定スクロール側ラップ４１の高さ方向における圧縮室側面３７の位置が変化することにより、厚さが変化している。具体的には、圧縮室側面３７は、外側面３８からの位置が２種類の位置で形成されており、これにより固定スクロール側端板３２は、外側面３８からの厚さが２種類の厚さによって形成されている。このため、固定スクロール側端板３２は、圧縮室側面３７が段差となって外側面３８からの厚さが変化する端板段差部３３を有している。また、圧縮室側面３７は、固定スクロール側ラップ４１間に位置しているため、固定スクロール側ラップ４１間の渦巻きにおける所定の位置で、外側面３８からの高さが変化しており、端板段差部３３は、この部分に形成されている。
【００４２】
また、この圧縮室側面３７の外側面３８からの高さは、固定スクロール側ラップ４１の内側端部４６付近から端板段差部３３までの部分の高さよりも、端板段差部３３から固定スクロール側ラップ４１の渦巻きの方向における外側方向の部分の方が低くなっている。即ち、固定スクロール側端板３２の厚さは、固定スクロール側ラップ４１の内側端部４６付近から端板段差部３３までの部分における厚さよりも、端板段差部３３から固定スクロール側ラップ４１の渦巻きの方向における外側方向の部分の厚さの方が薄くなっている。このように、固定スクロール側端板３２において固定スクロール側ラップ４１の渦巻きの内側端部４６側に位置し、厚さが厚くなっている部分は端板厚部３４となっており、渦巻きの外側端部４７側に位置し、厚さが薄くなっている部分は端板薄部３５となっている。
【００４３】
また、このように形成される固定スクロール側端板３２のうち、当該圧縮室側面３７に接続された固定スクロール側ラップ４１における内側端部４６寄りの固定スクロール側ラップ４１と圧縮室側面３７とによって画成される部分は、低壁体圧縮室画成部である低ラップ圧縮室画成部６２となっている。また、低ラップ圧縮室画成部６２を画成する固定スクロール側ラップ４１の高さよりも高さが高くなっている位置の固定スクロール側ラップ４１と圧縮室側面３７とにより画成される部分は、高壁体圧縮室画成部である高ラップ圧縮室画成部６１となっている。なお、ここでいう固定スクロール側ラップ４１の高さとは、圧縮室側面３７からラップ先端４２までの相対的な高さをいう。
【００４４】
また、固定スクロール３１には、低ラップ圧縮室画成部６２を画成する圧縮室側面３７から外側面３８にかけて貫通することにより双方に開口している低壁体側ポートである低ラップ側ポート６７が形成されている。この低ラップ側ポート６７のうち、圧縮室側面３７に開口された部分は低壁体側ポート開口部である低ラップ側ポート開口部６８となっている。
【００４５】
詳しくは、この低ラップ側ポート６７は、高ラップ部４４と低ラップ部４５と端板厚部３４の圧縮室側面３７とによって画成される低ラップ圧縮室画成部６２における端板厚部３４から外側面３８にかけて形成されている。また、この低ラップ側ポート６７は、低ラップ圧縮室画成部６２を画成する高ラップ部４４と圧縮室側面３７との接続部分に、低ラップ側ポート開口部６８が形成されている。つまり、低ラップ側ポート開口部６８が近傍に開口される固定スクロール側ラップ４１は、固定スクロール側端板３２が厚くなり、圧縮室側面３７の高さが高くなることにより、圧縮室側面３７からラップ先端４２までの高さが比較的低くなる部分となっている。
【００４６】
また、圧縮室側面３７との接続部分に低ラップ側ポート開口部６８が形成される高ラップ部４４は、当該高ラップ部４４とによって低ラップ圧縮室画成部６２を画成する低ラップ部４５よりも渦巻きの外側方向に位置している。このため、低ラップ側ポート開口部６８は、高ラップ部４４における湾曲形状の内側に位置しており、固定スクロール側ラップ４１のいわゆる腹側に位置している。
【００４７】
さらに、固定スクロール３１には、高ラップ圧縮室画成部６１を画成する圧縮室側面３７から外側面３８にかけて貫通することにより双方に開口している高壁体側ポートである高ラップ側ポート６５が形成されている。この高ラップ側ポート６５のうち、圧縮室側面３７に開口された部分は高壁体側ポート開口部である高ラップ側ポート開口部６６となっている。
【００４８】
詳しくは、この高ラップ側ポート６５は、高ラップ部４４と低ラップ部４５と端板薄部３５の圧縮室側面３７とによって画成される高ラップ圧縮室画成部６１における端板薄部３５から外側面３８にかけて形成されている。また、この高ラップ側ポート６５は、高ラップ圧縮室画成部６１を画成する低ラップ部４５と圧縮室側面３７との接続部分の近傍で、当該接続部分から離れて、高ラップ側ポート開口部６６が形成されている。つまり、高ラップ側ポート開口部６６が近傍に開口される固定スクロール側ラップ４１は、固定スクロール側端板３２が薄くなり、圧縮室側面３７の高さが低くなることにより、圧縮室側面３７からラップ先端４２までの高さが比較的高くなる部分となっている。
【００４９】
また、圧縮室側面３７との接続部分の近傍に高ラップ側ポート開口部６６が形成される低ラップ部４５は、当該低ラップ部４５とによって高ラップ圧縮室画成部６１を画成する高ラップ部４４よりも渦巻きの内側方向に位置している。このため、高ラップ側ポート開口部６６は低ラップ部４５における湾曲形状の外側に位置しており、固定スクロール側ラップ４１のいわゆる背側に位置している。
【００５０】
また、高ラップ側ポート６５の外側面３８側の開口部、及び低ラップ側ポート６７の外側面３８側の開口部には、共に高ラップ側ポート６５、または低ラップ側ポート６７の開閉を行なう容量制御弁７２が設けられている（図１参照）。
【００５１】
また、高ラップ側ポート６５は、上述した形態で３つ形成されており、低ラップ側ポート６７は、上述した形態で２つ形成されている。また、これらの高ラップ側ポート６５と低ラップ側ポート６７とは、共に貫通方向における断面形状が円形の形状で形成されており、さらに、高ラップ側ポート６５の径は、低ラップ側ポート６７の径以下の径となっている。このように、高ラップ側ポート６５と低ラップ側ポート６７とは、共に断面形状が円形の形状で形成されており、高ラップ側ポート開口部６６は、固定スクロール側ラップ４１から離れているので、高ラップ側ポート開口部６６は円形の形状で開口している。また、低ラップ側ポート開口部６８は、固定スクロール側ラップ４１と圧縮室側面３７との接続部分に形成されているので、圧縮室側面３７に開口している低ラップ側ポート開口部６８は略半円形の形状で開口している。
【００５２】
また、これらの高ラップ側ポート開口部６６と低ラップ側ポート開口部６８とは、３つの高ラップ側ポート開口部６６の合計の開口面積と、２つの低ラップ側ポート開口部６８の合計の開口面積とが略等しくなっている。
【００５３】
また、旋回スクロール５１は、旋回スクロール側ラップ５３が固定スクロール３１の固定スクロール側ラップ４１と同等の形状で形成されており、旋回スクロール側端板５２が固定スクロール３１の固定スクロール側端板３２と同等の形状で形成されている。
【００５４】
このように形成される固定スクロール３１と旋回スクロール５１とは、固定スクロール側ラップ４１と旋回スクロール側ラップ５３とをかみ合わせた状態では、互いの高ラップ部４４のラップ先端４２は、他方の端板薄部３５の圧縮室側面３７に接触し、互いの低ラップ部４５のラップ先端４２は、他方の端板厚部３４の圧縮室側面３７に接触する（図１参照）。さらに、固定スクロール３１の固定スクロール側ラップ４１と、旋回スクロール５１の旋回スクロール側ラップ５３と、固定スクロール３１と旋回スクロール５１との双方の圧縮室側面３７とにより区画される空間は、圧縮室７５となっている。この圧縮室７５は、固定スクロール３１と旋回スクロール５１とを組み合わせた状態で複数形成されている。
【００５５】
この実施例に係るスクロール圧縮機１は以上のごとき構成からなり、以下、その作用について説明する。スクロール圧縮機１を運転すると、駆動手段によってシャフト８０が回転する。シャフト８０が回転すると、シャフト８０に対して偏心した偏心部８１がシャフト８０の回転軸を中心として公転運動をする。これにより、この偏心部８１にドライブッシュ８５を介して接続されている旋回スクロール５１は、公転旋回運動をする。その際に、旋回スクロール５１の切欠部５５には、スラスト方向支持部材９１に設けられた自転阻止機構９２が挿入されているので、自転することなくシャフト８０の回転軸を中心として公転旋回運動をする。また、シャフト８０が回転をした場合、ドライブッシュ８５にはバランスウェイト８６が取り付けられているので、シャフト８０の回転時に旋回スクロール５１が公転旋回運動をすることにより発生するアンバランスは、バランスウェイト８６の作用により低減される。
【００５６】
旋回スクロール５１が、このように公転旋回運動をすると、旋回スクロール５１に形成されている旋回スクロール側ラップ５３と、固定スクロール３１に形成されている固定スクロール側ラップ４１との相対的な位置が変化する。この変化により、旋回スクロール５１と固定スクロール３１とによって区画されている圧縮室７５の形状が変化する。この変化により、冷媒ガスは吸入口１１から圧縮室７５に流入する。
【００５７】
圧縮室７５に流入した冷媒ガスは、旋回スクロール５１が公転旋回運動をすることにより、圧縮されながら、固定スクロール側ラップ４１の外側端部４７方向から内側端部４６方向、即ち、渦巻きの外側方向から中心部の方向に向かう。その際に、固定スクロール側ラップ４１及び旋回スクロール側ラップ５３は、高ラップ部４４と低ラップ部４５とを有しており、ラップの高さが外側端部４７よりも内側端部４６の方が低くなっているため、冷媒ガスは、ラップの高さ方向にも圧縮される。
【００５８】
このように、圧縮されながら内側端部４６の方向に向かう冷媒ガスは、内側端部４６に近付いた際に、固定スクロール３１の内側端部４６付近に位置する吐出ポート３６に流れる。即ち、冷媒ガスは、圧縮された状態で吐出ポート３６から圧縮室７５の外側に吐出される。さらに、この冷媒ガスは、固定スクロール支持部材９３に形成された吐出通路９４を通り、スクロール側ハウジング６の吐出口１２から圧力が高くなった状態で吐出される。
【００５９】
また、スクロール圧縮機１の通常運転時は、容量制御弁７２は閉じられている。これにより、高ラップ側ポート６５及び低ラップ側ポート６７は、閉じられている。このため、圧縮室７５内の冷媒ガスは、高ラップ側ポート６５と低ラップ側ポート６７とからは、外側面３８側には流出せず、旋回スクロール５１の公転旋回運動によって旋回スクロール５１と固定スクロール３１とによって圧縮され、吐出ポート３６から吐出口１２に向けて吐出される。
【００６０】
これに対し、スクロール圧縮機１の能力があまり必要でない場合、換言すると、スクロール圧縮機１による吸い込みガス量を低減させてもよい場合には、容量制御弁７２を開く。これにより、圧縮室７５内の冷媒ガスは、高ラップ側ポート６５及び低ラップ側ポート６７を通って、外側面３８側に流出する。圧縮室７５から流出した冷媒ガスは、吐出口１２から吐出される。これにより、圧縮する冷媒ガスの量が低減し、冷媒ガスを圧縮する際における仕事量が低減するので、旋回スクロール５１を公転旋回運動させる場合における抵抗が小さくなる。また、このように、容量制御弁７２を開閉することにより、圧縮する冷媒ガスの量を低減することができるので、圧縮する冷媒の実質的な容量を制御することができる。
【００６１】
また、旋回スクロール５１を公転旋回運動させて旋回スクロール５１と固定スクロール３１とにより冷媒ガスを圧縮すると、冷媒ガスの圧力は高くなる。このため、冷媒ガスから圧縮室７５を形成する各部に作用する圧力も高くなり、固定スクロール側ラップ４１に作用する圧力も高くなる。
【００６２】
この固定スクロール側ラップ４１は、高ラップ部４４と低ラップ部４５とを有しており、また、固定スクロール側ラップ４１が設けられる固定スクロール３１が有する固定スクロール側端板３２は、端板厚部３４と端板薄部３５とを有している。これらにより、固定スクロール３１は、高ラップ圧縮室画成部６１と低ラップ圧縮室画成部６２とを有している。このうち、高ラップ圧縮室画成部６１を画成する固定スクロール側ラップ４１の、圧縮室側面３７からラップ先端４２までの高さは、低ラップ圧縮室画成部６２を画成する固定スクロール側ラップ４１の、圧縮室側面３７からラップ先端４２までの高さよりも高くなっている。
【００６３】
このため、冷媒ガスから圧力が固定スクロール側ラップ４１に作用した場合に、低ラップ圧縮室画成部６２を画成する固定スクロール側ラップ４１と圧縮室側面３７との接続部分に作用するモーメントよりも、高ラップ圧縮室画成部６１を画成する固定スクロール側ラップ４１と圧縮室側面３７との接続部分に作用するモーメントの方が大きくなる。
【００６４】
これにより、高ラップ圧縮室画成部６１を画成する固定スクロール側ラップ４１と圧縮室側面３７との接続部分には、低ラップ圧縮室画成部６２を画成する固定スクロール側ラップ４１と圧縮室側面３７との接続部分よりも、大きな応力が作用するが、この接続部分の近傍に設けられている高ラップ側ポート６５の高ラップ側ポート開口部６６は、この接続部分から離れている。このため、高ラップ側ポート開口部６６を設けた場合も、この接続部分の強度を確保することができる。
【００６５】
以上の圧縮機用スクロールである固定スクロール３１は、高ラップ側ポート６５における高ラップ圧縮室画成部６１に開口している部分である高ラップ側ポート開口部６６は、高ラップ圧縮室画成部６１を画成する圧縮室側面３７と固定スクロール側ラップ４１との接続部分以外の部分に開口している。これにより、高ラップ圧縮室画成部６１を画成する固定スクロール側ラップ４１に圧力が作用し、この固定スクロール側ラップ４１と圧縮室側面３７との接続部分に大きな応力が作用した場合でも、この接続部分には高ラップ側ポート開口部６６は開口していないため、高ラップ側ポート開口部６６付近に大きな応力が生じることを抑制できる。従って、高ラップ側ポート開口部６６付近の強度の低下を抑制することができる。この結果、固定スクロール側ラップ４１の高さを変化させて圧縮比を高めると共に、ポートを設けて容量制御を行なう場合の、ポート付近の強度の低下を抑制することができる。
【００６６】
また、低ラップ側ポート開口部６８の開口面積と高ラップ側ポート開口部６６の開口面積とをほぼ等しくしているので、被圧縮媒体である冷媒ガスを低ラップ側ポート開口部６８と高ラップ側ポート開口部６６とからバランスよく、固定スクロール側端板３２の圧縮室側面３７の反対側に位置する外側面３８側に流出させることができる。これにより、スクロール圧縮機１に、この固定スクロール３１を用いて冷媒ガスを圧縮する際における圧縮損失を抑制することができる。この結果、圧力損失による性能低下を抑制することができる。
【００６７】
また、高ラップ側ポート６５の高ラップ側ポート開口部６６は、圧縮室側面３７に開口している。また、このように形成される高ラップ側ポート６５は、低ラップ側ポート６７以上の数で設けられており、高ラップ側ポート６５の径は低ラップ側ポート６７の径以下の径となっている。このため、この固定スクロール３１を、スクロール圧縮機１に用いた場合に、高ラップ側ポート６５が相手側のラップをまたぐことを抑制できる。これにより、旋回スクロール側ラップ５３の両側に位置する双方の圧縮室７５に１つの高ラップ側ポート開口部６６が開口されることを抑制できるので、高ラップ側ポート６５を介して双方の圧縮室７５が連通されることを抑制でき、冷媒ガスの漏れを抑制することができる。この結果、漏れ損失による性能低下を抑制することができる。
【００６８】
また、以上のスクロール圧縮機１は、固定スクロール３１として、上述した固定スクロール３１が用いられるので、固定スクロール側ラップ４１の高さが渦巻きの外側端部４７側よりも内側端部４６側の方が低くなるように形成される。これにより、圧縮比を高めることができる。また、固定スクロール側ラップ４１と固定スクロール側端板３２とにより画成される圧縮室７５から、当該圧縮室７５の外側にかけて高ラップ側ポート６５と低ラップ側ポート６７とが形成されるので、容積制御を行なうことができる。さらに、高ラップ側ポート開口部６６は、高ラップ圧縮室画成部６１を画成する圧縮室側面３７と固定スクロール側ラップ４１との接続部分以外の部分に開口しているので、固定スクロール側ラップ４１に圧力が作用した場合でも、高ラップ側ポート開口部６６付近に大きな応力が生じることを抑制できる。この結果、固定スクロール側ラップ４１の高さを変化させて圧縮比を高めると共にポートを設けて容量制御を行なう場合の、ポート付近の強度の低下を抑制することができる。
【００６９】
図４は、本発明に係る圧縮機用スクロールの変形例を示す平面図である。図５は、図４のＣ−Ｃ断面図である。なお、実施例に係る圧縮機用スクロールである固定スクロール３１では、高ラップ側ポート１００は、高ラップ側ポート開口部１０１が高ラップ圧縮室画成部６１を画成する圧縮室側面３７に開口しているが、高ラップ側ポート開口部１０１はこれ以外の部分に開口していてもよい。例えば、図４、図５に示すように、高ラップ側ポート１００は、高ラップ側ポート開口部１０１を、高ラップ圧縮室画成部６１を画成する固定スクロール側ラップ４１に開口させてもよい。
【００７０】
この場合、高ラップ側ポート開口部１０１は、高ラップ圧縮室画成部６１を画成する低ラップ部４５に形成されており、低ラップ部４５と圧縮室側面３７との接続部分の近傍で、当該接続部分から離れて形成されている。高ラップ側ポート１００は、その一端である高ラップ側ポート開口部１０１が、高ラップ圧縮室画成部６１を画成する固定スクロール側ラップ４１に開口され、他端が外側面３８に開口している。また、高ラップ側ポート開口部１０１は、低ラップ部４５における湾曲形状の外側に開口しており、固定スクロール側ラップ４１のいわゆる背側に開口している。
【００７１】
さらに、高ラップ側ポート１００は、固定スクロール側ラップ４１の高さ方向に対して斜め方向に形成されると共に固定スクロール側ラップ４１から外側面３８にかけて直線状に形成されている。その向きは、高ラップ側ポート１００は、固定スクロール側ラップ４１の背側に開口した高ラップ側ポート開口部１０１から、外側面３８に開口している部分に向かうに従って、固定スクロール３１の中心方向、或いは、吐出ポート３６に近付く方向となっている。
【００７２】
また、高ラップ側ポート１００は、高ラップ圧縮室画成部６１を画成する固定スクロール側ラップ４１に、高ラップ側ポート開口部１０１が開口しているが、高ラップ側ポート１００は高ラップ側ポート開口部１０１から、外側面３８に向かいつつ固定スクロール３１の中心方向に向かって形成されているので、高ラップ側ポート１００は、固定スクロール側端板３２の端板厚部３４に形成されている。
【００７３】
図６は、図５のＤ−Ｄ矢視図である。図７は、図４の圧縮機用スクロールの要部斜視図である。図６において、固定スクロール側ラップ４１に開口される、高ラップ側ポート１００の高ラップ側ポート開口部１０１は、略長穴の形状で形成され、長穴の長手方向が、固定スクロール側ラップ４１の高さ方向となる向きで形成されている。このため、高ラップ側ポート開口部１０１は、渦巻きの形成方向における幅よりも固定スクロール側ラップ４１の高さ方向における幅の方が広くなっている。
【００７４】
これらのように、高ラップ側ポート開口部１０１を、高ラップ圧縮室画成部６１を画成する固定スクロール側ラップ４１に開口させることにより、より確実に高ラップ側ポート１００付近の強度の低下を抑制できる。つまり、高ラップ圧縮室画成部６１を画成する固定スクロール側ラップ４１は、高ラップ圧縮室画成部６１を画成する固定スクロール側端板３２の厚さが薄い部分である端板薄部３５に形成されることにより、低ラップ圧縮室画成部６２を画成する固定スクロール側ラップ４１よりも、圧縮室側面３７からラップ先端４２までの高さが高くなっている。このため、高ラップ圧縮室画成部６１では固定スクロール側端板３２の強度が低くなっているので、固定スクロール側端板３２、即ち、圧縮室側面３７に高ラップ側ポート開口部１０１を開口させると、高ラップ側ポート開口部１０１付近の強度が、より低くなる虞がある。そこで、高ラップ側ポート開口部１０１を固定スクロール側ラップ４１に開口することにより、高ラップ側ポート１００を設けた場合における強度の低下を抑制できる。この結果、ポート付近の強度の低下を抑制することができる。
【００７５】
従って、高ラップ側ポート６５、１００は、高ラップ側ポート開口部６６、１０１が、高ラップ圧縮室画成部６１を画成する圧縮室側面３７と固定スクロール側ラップ４１との接続部分以外の部分で高ラップ圧縮室画成部６１を画成する圧縮室側面３７、または、固定スクロール側ラップ４１に開口していればよい。
【００７６】
また、高ラップ側ポート１００は、固定スクロール側ラップ４１の高さ方向に対して斜め方向に形成されると共に、固定スクロール側ラップ４１から固定スクロール側端板３２の外側面３８にかけて直線状に形成されているので、容易に高ラップ側ポート１００を設けることができる。この結果、固定スクロール側ラップ４１の高さを変化させて圧縮比を高めると共にポートを設けて容量制御を行なう場合の、ポート付近の強度の低下を、より確実に抑制することができる。
【００７７】
図８は、図５のＥ−Ｅ矢視図である。図８において、高ラップ側ポート開口部１０１は、渦巻きの形成方向における幅が狭くなっているので、高ラップ側ポート開口部１０１が開口した固定スクロール側ラップ４１と相手側のラップとが、高ラップ側ポート開口部１０１付近で接触した場合に、渦巻きの形成方向において高ラップ側ポート開口部１０１の両側に位置する圧縮室７５同士が高ラップ側ポート１００を介して連通することを抑制できる。これにより、双方の圧縮室７５内に位置する冷媒ガスの漏れを抑制することができる。この結果、漏れ損失による性能低下を抑制することができる。
【００７８】
図９は、本発明に係る圧縮機用スクロールの変形例を示す断面図である。また、高ラップ側ポートの高ラップ側ポート開口部を、高ラップ圧縮室画成部６１を画成する固定スクロール側ラップ４１に開口させる場合、上記の変形例では、高ラップ側ポート１００は、固定スクロール側ラップ４１から固定スクロール側端板３２の外側面３８にかけて直線状に形成されているが、高ラップ側ポートは、直線状以外の形状で形成されていてもよい。例えば、図９に示すように、高ラップ側ポート１１０を、高ラップ側ポート開口部１１１から、固定スクロール側端板３２の外側面３８に開口している部分までの間の途中で折れ曲がった形状で形成してもよい。詳しくは、この高ラップ側ポート１１０は、固定スクロール側端板３２の外側面３８に開口されると共に固定スクロール側ラップ４１の高さ方向に形成された高さ方向部１１２と、高ラップ側ポート開口部１１１で固定スクロール側ラップ４１に開口されると共に固定スクロール側ラップ４１の渦巻きの略径方向に形成された径方向部１１３と、を有している。高ラップ側ポート１１０は、これらの高さ方向部１１２と径方向部１１３とが、固定スクロール側端板３２内で連通している。
【００７９】
また、高ラップ側ポート開口部１１１は、固定スクロール側ラップ４１と圧縮室側面３７との接続部分の近傍で、当該接続部分から離れて形成されている。さらに、この高ラップ側ポート１１０は、固定スクロール側端板３２の端板厚部３４に形成されている。高ラップ側ポート１１０を直線状に形成せずに、このように折れ曲がった形状で形成した場合でも、高ラップ圧縮室画成部６１を画成する固定スクロール側ラップ４１に高ラップ側ポート開口部１１１が開口した高ラップ側ポート１１０を形成することができる。即ち、高ラップ圧縮室画成部６１を画成する固定スクロール側ラップ４１に高ラップ側ポート１１０の高ラップ側ポート開口部１１１を開口させる場合は、高ラップ側ポート１１０の形状は問わない。
【００８０】
また、高ラップ側ポート６５、１００、１１０の高ラップ側ポート開口部６６、１０１、１１１には、面取り処理を施してもよい。高ラップ側ポート開口部６６、１０１、１１１に面取り処理を施すことにより、高ラップ側ポート開口部６６、１０１、１１１付近の応力集中を、より確実に抑制することができる。この結果、固定スクロール側ラップ４１の高さを変化させて圧縮比を高めると共にポートを設けて容量制御を行なう場合の、ポート付近の強度の低下を、より確実に抑制することができる。
【産業上の利用可能性】
【００８１】
以上のように、本発明に係る圧縮機用スクロール及びスクロール圧縮機は、圧縮比を向上させたスクロール圧縮機に有用であり、特に、容量制御を行なう場合に適している。
【図面の簡単な説明】
【００８２】
【図１】本発明の実施例に係る圧縮機用スクロールを備えるスクロール圧縮機の断面図である。
【図２】図１のＡ−Ａ断面図である。
【図３】図２のＢ−Ｂ断面図である。
【図４】本発明に係る圧縮機用スクロールの変形例を示す平面図である。
【図５】図４のＣ−Ｃ断面図である。
【図６】図５のＤ−Ｄ矢視図である。
【図７】図４の圧縮機用スクロールの要部斜視図である。
【図８】図５のＥ−Ｅ矢視図である。
【図９】本発明に係る圧縮機用スクロールの変形例を示す断面図である。
【符号の説明】
【００８３】
１  スクロール圧縮機
５  ハウジング
６  スクロール側ハウジング
７  シャフト側ハウジング
８  隔壁部
１１  吸入口
１２  吐出口
１５、９５  スクリュー
１８  軸受
２０  シールハウジング
２１  シール部材
３０  スクロール
３１  固定スクロール
３２  固定スクロール側端板
３３  端板段差部
３４  端板厚部
３５  端板薄部
３６  吐出ポート
３７  圧縮室側面
３８  外側面
４１  固定スクロール側ラップ
４２  ラップ先端
４３  ラップ段差部
４４  高ラップ部
４５  低ラップ部
４６  内側端部
４７  外側端部
５１  旋回スクロール
５２  旋回スクロール側端板
５３  旋回スクロール側ラップ
５４  ボス
５５  切欠部
６１  高ラップ圧縮室画成部
６２  低ラップ圧縮室画成部
６５、１００、１１０  高ラップ側ポート
６６、１０１、１１１  高ラップ側ポート開口部
６７  低ラップ側ポート
６８  低ラップ側ポート開口部
７１  吐出弁
７２  容量制御弁
７５  圧縮室
８０  シャフト
８１  偏心部
８５  ドライブッシュ
８６  バランスウェイト
９１  スラスト方向支持部材
９２  自転阻止機構
９３  固定スクロール支持部材
９４  吐出通路
１１２  高さ方向部
１１３  径方向部
【図１】
2008095636.tif 000003
【図２】
2008095636.tif 000004
【図３】
2008095636.tif 000005
【図４】
2008095636.tif 000006
【図５】
2008095636.tif 000007
【図６】
2008095636.tif 000008
【図７】
2008095636.tif 000009
【図８】
2008095636.tif 000010
【図９】
2008095636.tif 000011